(57)【要約】【課題】交換レンズ等のアクセサリーとカメラ本体との適切な装着の判定精度を向上させる。【解決手段】交換レンズ２００には、レンズ２０１を駆動させるレンズ駆動部２１０が備えられている。カメラ本体１００は、交換レンズ２００へ供給するための電力を出力する電力供給部１１０と、交換レンズ２００に備えられておりレンズ駆動部２１０の動作を制御するレンズ制御部２２０からの情報に応じて電力供給部１１０によって供給可能な電力の制御を行うカメラ制御部１５０とを有する。【選択図】        図１
2005010703.tif 000002
【特許請求の範囲】
【請求項１】
レンズを駆動させる駆動手段が備えられている交換レンズへ供給するための電力を出力する電力供給手段と、
前記交換レンズに備えられているレンズ制御手段であって前記駆動手段の動作を制御する当該レンズ制御手段からの情報に応じ、前記電力供給手段によって供給可能な電力の制御を行う供給可能電力制御手段と、
を有することを特徴とするカメラ。
【請求項２】
前記レンズ制御手段との間で情報の授受を行う通信手段を更に有し、
前記供給可能電力制御手段は、前記通信手段によって取得される前記レンズ制御手段からの情報に基づいて前記供給可能電力の制御を行う、
ことを特徴とする請求項１に記載のカメラ。
【請求項３】
前記供給可能電力制御手段は電流値を制御することを特徴とする請求項１または２に記載のカメラ。
【請求項４】
前記供給可能電力制御手段は、前記交換レンズが当該カメラへ適切に装着されたとの判定が前記情報に基づいてなされたときには、そのときまで制限をしていた前記供給可能電力の上限を緩和することを特徴とする請求項１から３までのうちのいずれか一項に記載のカメラ。
【請求項５】
前記制限に係る前記供給可能電力の上限は、前記レンズ制御手段が機能するためには十分な電力であることを特徴とする請求項４に記載のカメラ。
【請求項６】
前記電力供給手段の出力の監視を行う監視手段を更に有し、前記供給可能電力制御手段は、更に前記監視の結果に応じて前記供給可能電力を制御する、
ことを特徴とする請求項１から５までのうちのいずれか一項に記載のカメラ。
【請求項７】
前記監視手段は、前記供給可能電力制御手段が前記供給可能電力の上限を制限している状態の下で前記監視を行い、
前記供給可能電力制御手段は、前記情報若しくは前記監視の結果に応じて前記制限を緩和する、
ことを特徴とする請求項６に記載のカメラ。
【請求項８】
前記監視手段は電圧値の監視を行い、
前記供給可能電力制御手段は、前記監視手段によって取得された前記電圧値が所定値を下回っているときには前記電力供給手段の出力を停止させることを特徴とする請求項６または７に記載のカメラ。
【請求項９】
前記供給可能電力制御手段は、前記電力供給手段の動作を停止させて前記出力を停止させることを特徴とする請求項８に記載のカメラ。
【請求項１０】
前記供給可能電力制御手段は、前記出力を停止させた後、前記供給可能電力の上限を制限した状態の下で前記電力供給手段の出力を再開させたときに前記監視手段によって取得される電圧値が所定値を下回った場合には、当該電力供給手段の出力を再度停止させることを特徴とする請求項８に記載のカメラ。
【請求項１１】
前記監視手段は、当該カメラから前記交換レンズへ電力を供給する供給端子の端子間電圧を監視することを特徴とする請求項６から１０までのうちのいずれか一項に記載のカメラ。
【請求項１２】
カメラ本体に装着される交換レンズであって、
レンズを駆動させる駆動手段と、
前記駆動手段の動作の制御を行い、且つ、前記カメラ本体から送られてくる情報を受け取ったことを示す情報を当該カメラ本体へ送出するレンズ制御手段と、を有し、
前記交換レンズへ供給する電力に課されている上限の制限が前記レンズ制御手段から送出された情報に応じて緩和されるカメラ本体に装着されて使用される、ことを特徴とする交換レンズ。
【請求項１３】
交換レンズと当該交換レンズが装着されるカメラ本体とからなるカメラシステムであって、
前記交換レンズは、
レンズを駆動させる駆動手段と、
前記駆動手段の動作の制御を行い、且つ、前記カメラ本体から送られてくる情報を受け取ったことを示す情報を当該カメラ本体へ送出するレンズ制御手段と、を有し、
前記カメラ本体は、
前記交換レンズへ供給するための電力を出力する電力供給手段と、
前記レンズ制御手段から送出された情報に応じ、前記電力供給手段によって供給可能な電力の制御を行う供給可能電力制御手段と、
を有する、
ことを特徴とするカメラシステム。
【請求項１４】
前記カメラ本体は、前記電力供給手段の出力の監視を行う監視手段を更に有し、
前記供給可能電力制御手段は、更に前記監視の結果に応じて前記供給可能電力を制御する、
ことを特徴とする請求項１３に記載のカメラシステム。
【請求項１５】
前記監視手段は、前記供給可能電力制御手段が前記供給可能電力の上限を制限している状態の下で前記監視を行い、
前記供給可能電力制御手段は、前記情報若しくは前記監視の結果に応じて前記制限を緩和する、
ことを特徴とする請求項１４に記載のカメラシステム。
【請求項１６】
アクセサリーと当該アクセサリーが装着されるカメラ本体とからなるカメラシステムであって、
前記アクセサリーは、
当該アクセサリーを動作させる動作手段と、
前記動作手段の制御を行い、且つ、前記カメラ本体から送られてくる情報を受け取ったことを示す情報を当該カメラ本体へ送出するアクセサリー制御手段と、を有し、
前記カメラ本体は、
前記アクセサリーへ供給するための電力を出力する電力供給手段と、
前記アクセサリー制御手段から送出された情報に応じ、前記電力供給手段によって供給可能な電力の制御を行う供給可能電力制御手段と、
を有する、
ことを特徴とするカメラシステム。
【発明の詳細な説明】
【０００１】
【発明の属する技術分野】
本発明は、アクセサリー交換可能なカメラ及びそのカメラに装着されて使用されるアクセサリー、並びにこのカメラ及びアクセサリーからなるカメラシステムにおいて用いられる技術に関し、特に、アクセサリーとして交換レンズの動作に必要な電力をカメラから供給する技術に関する。
【０００２】
【従来の技術】
カメラのアクセサリーとして代表的なもののひとつである交換レンズがカメラ本体に適切に装着されたかどうかを検知する技術に関し、例えば特許文献１や特許文献２に開示されている技術がある。
【０００３】
特許文献１に示されている交換レンズ式カメラシステムは、交換レンズをカメラ本体に適切に装着するとレンズ着脱検知スイッチが導通状態となる一方で、交換レンズをカメラ本体に固定させているレンズ着脱ピンを押下して交換レンズをカメラ本体から外すと、押下されたレンズ着脱ピンがレンズ着脱検知スイッチを非導通状態とする構造を有している。このようなカメラシステムであれば、このレンズ着脱検知スイッチの導通・非道通の状態を監視することによって交換レンズがカメラ本体に適切に装着されたかどうかを検知することができる。
【０００４】
また、特許文献２に示されているカメラシステムは、カメラ本体に交換レンズが適切に装着されると、カメラ本体に設けられているレンズ装着検知端子と交換レンズに設けられているレンズ側レンズ装着検知端子とが導通し、カメラ本体に設けられているグランド端子と交換レンズに設けられているレンズ側グランド端子とが導通するように構成されている。ここで、レンズ側レンズ装着検知端子とレンズ側グランド端子とは交換レンズ内で電気的に接続されているので、カメラ本体に交換レンズが適切に装着されることによってレンズ装着検知端子がグランド電位となる。レンズ検知回路はこのことを検知することによって交換レンズがカメラ本体に適切に装着されたかどうかを検知することができる。
【０００５】
【特許文献１】
特開平９−２９７３４４号公報  （第５頁、図３）
【特許文献２】
特開平８−８２８２７号公報  （第４−５頁、図１−２）
【０００６】
【発明が解決しようとする課題】
オートフォーカスや電動ズーム等の機能のため、レンズを駆動させる電動モータが内蔵されている交換レンズがある。この電動モータを駆動させる電力はカメラ本体から供給されるのが一般的であり、カメラ本体における交換レンズの装着部にはこのための電力供給端子が設けられていることが多い。
【０００７】
例えばこの電力供給端子に導電性の異物が接触することによってこの電力供給端子とカメラ本体のグランドラインとが短絡すると、この短絡によって形成される回路に過大な電流が流れる結果、カメラ本体が故障するおそれがある。
この問題に対処するため、例えばこの短絡によって形成される回路中に電流ヒューズを予め挿入しておくようにして回路を流れる過大な電流を遮断するという手法がある。しかしながら、カメラ本体に装着される交換レンズは大小様々なものがあり、動作のために必要な電力も交換レンズ毎に大きく異なっている。そのため、電流ヒューズの容量を最適に設定することは困難である。
【０００８】
ここで、この問題に対処するため、交換レンズがカメラ本体に適切に装着されている場合にのみ、電力供給端子から交換レンズへ電力供給を行うようにするという手法がある。
しかしながら、前述した特許文献１に開示されている技術を用いて、レンズ着脱検知スイッチやレンズ着脱ピンが設けられている箇所等に導電性の異物が混入すると、交換レンズがカメラ本体に装着されていないにも拘らず適切に装着されているとの誤った判定がなされてしまい、その結果カメラ本体から電力の供給が開始されることによってカメラ本体を故障させてしまうおそれがある。
【０００９】
また、前述した特許文献２に開示されている技術では、レンズ側レンズ装着検知端子とレンズ側グランド端子とが導電性の異物等によって短絡されてしまうと、交換レンズがカメラ本体に装着されていないにも拘らず適切に装着されているとの誤った判定がなされてしまい、その結果カメラ本体から電力の供給が開始されることによってカメラ本体を故障させてしまうおそれがある。また、この技術では、交換レンズの装着を検知するために専用の端子を設けるようにしているため、このような端子を増設するためのスペースを交換レンズの装着部に確保しなければならなくなる。
【００１０】
以上の問題を鑑み、本発明が解決しようとする課題は、交換レンズ等のアクセサリーとカメラ本体との適切な装着の判定精度を向上させることである。
【００１１】
【課題を解決するための手段】
本発明の態様のひとつであるカメラは、レンズを駆動させる駆動手段が備えられている交換レンズへ供給するための電力を出力する電力供給手段と、当該交換レンズに備えられているレンズ制御手段であって当該駆動手段の動作を制御する当該レンズ制御手段からの情報に応じ、当該電力供給手段によって供給可能な電力の制御を行う供給可能電力制御手段と、を有するように構成することを特徴とするものである。
【００１２】
上述した構成によれば、レンズ制御手段からの情報に応じて電力供給手段によって供給可能な電力の制御が行われるので、レンズ制御手段からの情報がないときには電力供給手段によって供給可能な電力を低下させるようにすることにより、交換レンズとカメラ本体との装着の判定が確実となり、交換レンズへの電力供給を行う端子とグランドラインとの間での短絡が発生してもカメラが故障しないようにすることができるようになる。
【００１３】
なお、上述した本発明に係るカメラにおいて、制御手段との間で情報の授受を行う通信手段を更に有し、供給可能電力制御手段が、当該通信手段によって取得されるレンズ制御手段からの情報に基づいて供給可能電力の制御を行うようにしてもよい。
【００１４】
こうすることにより、レンズ制御手段からの情報に応じた供給可能電力の制御が可能となる。
また、前述した本発明に係るカメラにおいて、供給可能電力制御手段が電流値を制御するようにしてもよい。
【００１５】
こうすることにより、供給可能電力の制御が可能となる。
また、前述した本発明に係るカメラにおいて、供給可能電力制御手段は、交換レンズが当該カメラへ適切に装着されたとの判定が前述した情報に基づいてなされたときには、そのときまで制限をしていた供給可能電力の上限を緩和するようにしてもよい。
【００１６】
このとき、この制限に係る供給可能電力の上限は、レンズ制御手段が機能するためには十分な電力であるようにしてもよい。
こうすることにより、それまでに制限されていた供給可能電力では不足するため機能させることのできない交換レンズの駆動手段を機能させることができるようになる。
【００１７】
また、前述した本発明に係るカメラにおいて、電力供給手段の出力の監視を行う監視手段を更に有し、供給可能電力制御手段が、更にこの監視の結果に応じて供給可能電力を制御するようにしてもよい。
こうすることにより、電力供給手段の出力が異常であることが監視手段による監視結果によって判明したときにも、電力供給手段によって供給可能な電力を低下させるようにすることにより、カメラの故障を防止することができるようになる。
【００１８】
なお、このとき、監視手段は、供給可能電力制御手段が供給可能電力の上限を制限している状態の下で監視を行い、供給可能電力制御手段は、前述した情報若しくは前述した監視の結果に応じてこの制限を緩和するようにしてもよい。
こうすることにより、故障の要因となる交換レンズへの電力供給を行う端子とグランドラインとの間での短絡が解消したときには、この短絡に起因する故障の防止のために課した供給可能電力の上限の制限を緩和させることができる。
【００１９】
また、このとき、監視手段が電圧値の監視を行い、供給可能電力制御手段は、当該監視手段によって取得された電圧値が所定値を下回っているときには電力供給手段の出力を停止させるようにしてもよい。
監視手段によって監視されている電圧値が異常に低下しているときには交換レンズへの電力供給を行う端子とグランドラインとの間での短絡が明らかに発生しているとみなせるので、このようなときには電力供給手段の出力を停止させることにより、カメラの故障をより確実に防止することができるようになる。
【００２０】
なお、このとき、供給可能電力制御手段は、電力供給手段の動作を停止させて前述した出力を停止させるようにしてもよい。
こうすることにより、電力供給手段自身による電力消費の無駄が抑制される。
また、このとき、供給可能電力制御手段は、この出力を停止させた後、供給可能電力の上限を制限した状態の下で電力供給手段の出力を再開させたときに監視手段によって取得される電圧値が所定値を下回った場合には、当該電力供給手段の出力を再度停止させるようにしてもよい。
【００２１】
こうすることにより、交換レンズへの電力供給を行う端子とグランドラインとの間での短絡が再度発生しても、供給可能電力が制限されているのでカメラ本体の故障は発生しない上に、電力供給手段自身による電力消費の無駄も抑制される。
【００２２】
なお、上述した監視手段は、当該カメラから交換レンズ等のアクセサリーへ電力を供給する供給端子の端子間電圧を監視するようにしてもよい。
本発明の別の態様のひとつである交換レンズは、カメラ本体に装着されるものであって、レンズを駆動させる駆動手段と、当該駆動手段の動作の制御を行い、且つ、当該カメラ本体から送られてくる情報を受け取ったことを示す情報を当該カメラ本体へ送出するレンズ制御手段と、を有し、当該交換レンズへ供給する電力に課されている上限の制限が当該レンズ制御手段から送出された情報に応じて緩和されるカメラ本体に装着されて使用されることを特徴とするものである。
【００２３】
上述した交換レンズが装着されるカメラ本体では、レンズ制御手段からの情報に応じて交換レンズに供給する電力に課されている上限の制限が緩和されるが、この情報をカメラ本体が受け取っていないときにはこの供給電力に課されている上限の制限が緩和されないので、交換レンズとカメラ本体との装着の判定が確実となり、例えば導電性の異物の混入によって交換レンズへの電力供給を行う端子とグランドラインとの間での短絡が発生していて交換レンズがカメラ本体に適切に装着されていない場合でもカメラ本体が故障することがない。
【００２４】
また、本発明の更なる別の態様のひとつであるカメラシステムは、交換レンズと当該交換レンズが装着されるカメラ本体とからなるものであって、当該交換レンズは、レンズを駆動させる駆動手段と、当該駆動手段の動作の制御を行い、且つ、当該カメラ本体から送られてくる情報を受け取ったことを示す情報を当該カメラ本体へ送出するレンズ制御手段と、を有し、当該カメラ本体は、当該交換レンズへ供給するための電力を出力する電力供給手段と、当該レンズ制御手段から送出された情報に応じ、当該電力供給手段によって供給可能な電力の制御を行う供給可能電力制御手段と、を有することを特徴とするものである。
【００２５】
上述したカメラシステムにおけるカメラ本体では、レンズ制御手段からの情報に応じて電力供給手段によって供給可能な電力の制御が行われるので、レンズ制御手段からの情報がないときには電力供給手段によって供給可能な電力を低下させるようにすることにより、交換レンズとカメラ本体との装着の判定が確実となり、交換レンズへの電力供給を行う端子とグランドラインとの間での短絡が発生してもカメラが故障しないようにすることができるようになる。
【００２６】
なお、上述した本発明に係るカメラシステムにおいて、カメラ本体が、電力供給手段の出力の監視を行う監視手段を更に有し、供給可能電力制御手段が、更にこの監視の結果に応じて供給可能電力を制御するようにしてもよい。
こうすることにより、電力供給手段の出力が異常であることが監視手段による監視結果によって判明したときにも、電力供給手段によって供給可能な電力を低下させるようにすることにより、カメラ本体の故障を防止することができるようになる。
【００２７】
なお、このとき、監視手段は、供給可能電力制御手段が供給可能電力の上限を制限している状態の下で監視を行い、供給可能電力制御手段は、前述した情報若しくは前述した監視の結果に応じて前述した制限を緩和するようにしてもよい。
こうすることにより、故障の要因となる交換レンズへの電力供給を行う端子とグランドラインとの間での短絡が解消したときには、この短絡に起因する故障の防止のために課した供給可能電力の上限の制限を緩和させることができる。
【００２８】
また、本発明の更なる別の態様のひとつであるカメラシステムは、アクセサリーと当該アクセサリーが装着されるカメラ本体とからなるカメラシステムであって、当該アクセサリーは、当該アクセサリーを動作させる動作手段と、当該動作手段の制御を行い、且つ、当該カメラ本体から送られてくる情報を受け取ったことを示す情報を当該カメラ本体へ送出するアクセサリー制御手段と、を有し、当該カメラ本体は、当該アクセサリーへ供給するための電力を出力する電力供給手段と、当該アクセサリー制御手段から送出された情報に応じ、当該電力供給手段によって供給可能な電力の制御を行う供給可能電力制御手段と、を有することを特徴とするものである。
【００２９】
上述したカメラシステムにおけるカメラ本体では、アクセサリー制御手段からの情報に応じて電力供給手段によって供給可能な電力の制御が行われるので、アクセサリー制御手段からの情報がないときには電力供給手段によって供給可能な電力を低下させるようにすることにより、アクセサリーとカメラ本体との装着の判定が確実となり、アクセサリーへの電力供給を行う端子とグランドラインとの間での短絡が発生してもカメラが故障しないようにすることができるようになる。
【００３０】
【発明の実施の形態】
以下、本発明の実施の形態を図面に基づいて説明する。
まず図１について説明する。同図は、本発明を実施する、カメラ本体とカメラ本体に装着可能なアクセサリーとからなるカメラシステムの構成を示している。同図に示すカメラシステムは、アクセサリーの例としての交換レンズ２００と、電池３００とがカメラ本体１００に装着されている状態を示している。交換レンズ以外のアクセサリーとしては、例えば画像伝送やカメラコントロールのための通信装置にも適用可能である。カメラ本体１００に交換レンズ２００が装着されると、双方の電力供給端子１６１、通信端子１６２、及びグランド端子１６３が各々電気的に接続される。
【００３１】
カメラ本体１００の有するＤＣ／ＤＣコンバータ１１１及び１１２、ツェナーダイオード１１３、抵抗１１４、及びトランジスタ１１５と電池３００とで電力供給部１１０が構成されている。電力供給部１００は、交換レンズ２００へ供給するための電力を出力すると共に、カメラ制御部１５０を動作させるために必要な電力の供給も行う。
【００３２】
カメラ１００のグランドライン（以下、単に「グランド」と称することとする）にその負極側が接続されている電池３００の正極側はＤＣ／ＤＣコンバータ１１１の入力側に接続されており、直流である電池３００の電圧がＤＣ／ＤＣコンバータ１１１で変圧される。なお、ＤＣ／ＤＣコンバータ１１１は、出力を許可する信号を後述するカメラ制御部１５０に設けられているＣＰＵＡ１５１から受け取っている間に限り出力を行う。
【００３３】
また、電池３００の正極側に同様に接続されているＤＣ／ＤＣコンバータ１１２は、電池３００の電圧をカメラ制御部１５０のＣＰＵＡ１５１の動作電圧へ変圧させるためのものである。
ＤＣ／ＤＣコンバータ１１１の出力には抵抗１１４の一端が接続されており、抵抗１１４の他端にはツェナーダイオード１１３のカソードが接続されている。ここで、ツェナーダイオード１１３のアノードはグランドに接続されているので、ツェナーダイオード１１３のカソード側の電位はツェナーダイオード１１３のツェナー電圧Ｖｚとなる。なお、ここで、ＤＣ／ＤＣコンバータ１１１の出力電圧はツェナー電圧Ｖｚよりも十分に高いものとする。
【００３４】
また、ツェナーダイオード１１３のカソードはＮＰＮ型であるトランジスタ１１５のベースと接続されており、このトランジスタ１１５のコレクタはＤＣ／ＤＣコンバータ１１１の出力と接続されている。従って、ＤＣ／ＤＣコンバータ１１１の出力電圧が十分であれば、トランジスタ１１５のエミッタの電位は（Ｖｚ−Ｖｂｅ１）となる。ここで、Ｖｂｅ１はトランジスタ１１５のベース・エミッタ間電圧である。つまり、ツェナーダイオード１１３、抵抗１１４、及びトランジスタ１１５で定電圧回路が構成されており、トランジスタ１１５のエミッタが電力供給部１１０の出力となっている。
【００３５】
電流制限部１２０は電力供給端子１６１から出力される電流値が所定値以上とならないように制限する。電流制限部１２０は、ＮＰＮ型のトランジスタ１２１と、このトランジスタ１２１のベース・エミッタ間に並列接続されている抵抗１２２とで構成されている。なお、トランジスタ１２１のコレクタは電力供給部１１０のツェナーダイオード１１３のカソードに接続されている。
【００３６】
ここで、電力供給部１１０の出力がトランジスタ１２１のベースに接続されており、トランジスタ１２１のエミッタ側が交換レンズ２００へ供給する電力を出力する電力供給端子１６１へと導かれている。従って、もしも電力供給端子１６１をグランドと短絡させたとしても、この短絡によって形成される閉回路を流れる電流は、抵抗１２２を流れる電流、すなわち（Ｖｂｅ２／Ｒ）までに制限される。
【００３７】
ここで、Ｖｂｅ２はトランジスタ１２１のベース・エミッタ間電圧であり、Ｒは抵抗１２２の抵抗値である。従って、抵抗１２２の抵抗値を変更すれば電流制限部１２０による電流の制限量を変更することができる。ここで、この電流の制限量は、後述する交換レンズ２００のレンズ制御部２２０を動作させるために十分な電力を電力供給端子１６１から出力することのできる量だけは少なくとも確保するように決定する。
【００３８】
なお、ここで、電力供給端子１６１の電位は、グランドと短絡されない限り（Ｖｚ−Ｖｂｅ１−Ｖｂｅ２）で安定化されていることは明らかである。
ところで、電力供給部１１０の出力は、電流制限解除部１３０にも導かれている。
【００３９】
電流制限解除部１３０は、ＮＰＮ型のトランジスタ１３１、Ｐチャネルのエンハンスメント形ＦＥＴ（電界効果トランジスタ）１３２、及びＦＥＴ１３２のゲート・ソース間に並列接続されている抵抗１３３を有して構成されている。ここで、ＦＥＴ１３２のゲートはトランジスタ１３１のコレクタと接続されており、トランジスタ１３１のエミッタはグランドと、また、トランジスタ１３１のベースはカメラ制御部１５０の有するＣＰＵＡ１５１と、それぞれ接続されている。
【００４０】
ここで、電力供給部１１０の出力がＦＥＴ１３２のソースに接続されており、ＦＥＴ１３２のドレイン側が前述した電力供給端子１６１へと導かれている。
電流制限解除部１３０の動作を説明する。
ＣＰＵ１５１がトランジスタ１３１のベースに所定の電圧を印加してトランジスタ１３１をオンとすると、ＦＥＴ１３２のゲート側の電位が低下するため、ＦＥＴ１３２のゲート・ソース間電圧は逆バイアスとなる。すると、ＦＥＴ１３２のドレイン・ソース間はオンとなる。すると、電力供給部１１０からの出力の大部分は電流制限部１２０を経由せずに電流制限解除部１３０のＦＥＴ１３２を通過して電力供給端子１６１へと導かれることとなり、結果として電流制限部１２０による電流制限が無効となる。
【００４１】
一方、ＣＰＵ１５１がトランジスタ１３１のベースへの電圧の印加を中止してトランジスタ１３１をオフとすると、抵抗１３３の作用によってＦＥＴ１３２のゲート側の電位が上昇してＦＥＴ１３２のソース側と同電位となるため、ＦＥＴ１３２のドレイン・ソース間はオフとなるので、電力供給部１１０からの出力は電流制限部１２０を経由して電力供給端子１６１へと導かれる結果、電流制限部１２０による電流制限が機能する。
【００４２】
以上のように、電力供給端子１６１から出力可能な電流値がＣＰＵ１５１によって制御されるので、電力供給部１１０によって交換レンズ２００へ供給可能な電力が制御される。
電圧測定部１４０は、電力供給端子１６１の端子電圧の測定を行う。この測定結果はＣＰＵＡ１５１によって取得される。
【００４３】
カメラ制御部１５０は、ＣＰＵＡ１５１、ＲＯＭＡ１５２、及びＲＡＭＡ１５３を有して構成されており、カメラ本体１００全体の動作を制御する。
ＣＰＵＡ１５１は、所定の制御プログラムを実行することによってカメラ本体１００全体の動作を制御する中央演算装置である。また、ＣＰＵＡ１５１は、交換レンズ２００に備えられているＣＰＵＢ２２１と通信端子１６２を介してデータ通信を行って、後述するレンズ２０１の駆動動作のための制御データ等の各種のデータの授受を行う。
【００４４】
ＲＯＭＡ１５２はＣＰＵＡ１５１によって実行される制御プログラムが予め格納されているリード・オンリ・メモリである。カメラ本体１００の電源がオンとされてＣＰＵＡ１５１に電力が供給されると、ＣＰＵＡ１５１はＲＯＭＡ１５２に格納されている制御プログラムを読み出して実行する。
【００４５】
ＲＡＭＡ１５３は、ＣＰＵＡ１５１が上述した制御プログラムを実行するときに作業用メモリとして使用するランダム・アクセス・メモリである。
交換レンズ２００は、レンズ２０１、レンズ２０１を駆動させるレンズ駆動部２１０、及びレンズ駆動部２１０の動作を制御するレンズ制御部２２０を有して構成されている。
【００４６】
レンズ駆動部２１０は、電力供給端子１６１を介してカメラ本体１００から供給される電力で動作し、レンズ２０１を駆動させるモータ２１１と、レンズ制御部２２０による制御に従ってその電力のモータ２１１への供給を制御するモータドライバ２１２を有して構成されている。
【００４７】
レンズ制御部２２０は、ＣＰＵＢ２２１、ＲＯＭＢ２２２、及びＲＡＭＢ２２３を有して構成されており、交換レンズ２００全体の動作を制御する。
ＣＰＵＢ２２１は、所定の制御プログラムを実行することによってレンズ駆動部２１０によるレンズ２０１の駆動動作を制御する中央演算装置である。また、ＣＰＵＢ２２１は、交換レンズ２００に備えられているＣＰＵＡ１５１と通信端子１６２を介してデータ通信を行って各種のデータの授受を行う。
【００４８】
ＲＯＭＢ２２２はＣＰＵＢ２２１によって実行される制御プログラムが予め格納されているリード・オンリ・メモリである。交換レンズ２００がカメラ本体１００に装着とされてＣＰＵＢ２２１に電力が供給されると、ＣＰＵＢ２２１はＲＯＭＢ２２２に格納されている制御プログラムを読み出して実行する。
【００４９】
ＲＡＭＢ２２３は、ＣＰＵＢ２２１が上述した制御プログラムを実行するときに作業用メモリとして使用するランダム・アクセス・メモリである。
なお、グランド端子１６３はカメラ本体１００のグランドラインと交換レンズ２００のグランドラインとを電気的に接続するためのものである。
【００５０】
図１に示すカメラシステムは以上のように構成されている。
次に図２について説明する。同図は、図１にＡ、Ｂ、Ｃ、Ｄと示した各位置のタイミングチャートである。
図２において、チャートＡは、図１における位置Ａ、すなわち電力供給端子１６１から交換レンズ２００へ供給可能な電流の最大値を示している。
【００５１】
チャートＢは、図１における位置Ｂ、すなわち通信端子１６２のうち、カメラ本体１００の有するカメラ制御部１５０のＣＰＵＡ１５１から交換レンズ２００へとシリアルデータを送信したときにこのシリアルデータを伝送する端子における信号の有無を示している。
【００５２】
チャートＣは、図１における位置Ｃ、すなわち通信端子１６２のうち、交換レンズ２００から送られてくるシリアルデータをカメラ本体１００の有するカメラ制御部１５０のＣＰＵＡ１５１で受信するときにこのシリアルデータが伝送されてくる端子における信号の有無を示している。
【００５３】
チャートＤは、図１における位置Ｄ、すなわち電流制限解除部１３０に設けられているトランジスタ１３１のベースへカメラ制御部１５０のＣＰＵＡ１５１によって印加される信号を示している。ここで、この信号が存在するとき（トランジスタ１３１をオンにするために十分な電圧がトランジスタ１３１のベースに印加されているとき）には、電流制限解除部１３０が動作して電流制限部１２０による電流制限が解除され、電力供給端子１６１から交換レンズ２００へ供給可能な電流の最大値が大きくなる。なお、以下の説明では、この信号を電流制限解除制御信号と称することとする。
【００５４】
また、図２において、期間ａは交換レンズ２００がカメラ本体１００に装着されるまでの期間を示しており、期間ｂは交換レンズ２００がカメラ本体１００に装着されてから取り外されるまでの期間を、また期間ｃは交換レンズ２００がカメラ本体１００から取り外された後の期間を、それぞれ示している。
【００５５】
以下、カメラ制御部１５０のＣＰＵＡ１５１によって行われる、電源投入状態におけるカメラ本体１００の電力供給端子１６１から供給可能な電力についての交換レンズ２００の着脱に応じた制御を、この図２を参照しながら説明する。
ＣＰＵＡ１５１は、交換レンズ２００がカメラ本体１００に装着されているか否かに拘らず、常に一定の周期で交換レンズ２００へデータ送信を行っており、この送信データは通信端子１６２のＢ側から出力される。
【００５６】
まず期間ａに注目する。この期間では、交換レンズ２００がカメラ本体１００に装着されていないので、ＣＰＵＡ１５１が交換レンズ２００へのデータ送信を行っても（チャートＢ参照）、ＣＰＵＡ１５１は交換レンズ２００からのデータを受信することはない（チャートＣ参照）。そこで、ＣＰＵＡ１５１は、この場合には電流制限解除制御信号を出力しないようにする（チャートＤ参照）。すると、電流制限解除部１３０が動作しないので電流制限部１２０による電流制限が作用し、電力供給端子１６１から供給可能な電流の最大値が制限されることとなる（チャートＡ参照）。従って、この区間ａにおいて例えば電力供給端子１６１が導電性の異物によってグランドと短絡されたとしても、この短絡によって構成された閉回路を流れる電流は電流制限部１２０によって制限されている値以下となるので、カメラ本体１００の故障が回避される。
【００５７】
なお、図２においては、電流制限部１２０による電流制限によって、電力供給端子１６１から供給可能な電流が最大２０ｍＡに制限されていることが示されている。
次に期間ｂに注目する。この期間では、交換レンズ２００がカメラ本体１００に適切に装着されている。電流制限部１２０による電流の制限量は、前述したように、交換レンズ２００のレンズ制御部２２０を動作させるために十分な電力を電力供給端子１６１から出力することのできる量が少なくとも確保されているので、交換レンズ２００がカメラ本体１００に装着されているときにはレンズ制御部２２０のＣＰＵＢ２２１は機能する。
【００５８】
まずＣＰＵＡ１５１が交換レンズ２００へのデータ送信を行うと（チャートＢ参照）、ＣＰＵＢ２２１がこのデータを受け取る。
ＣＰＵＢ２２１によって実行される制御プログラムは、カメラ本体１００からデータを受信したときにはこのデータを受信したことを示すデータのカメラ本体１００への返信をＣＰＵＢ２２１に行わせるように作成しておく。従って、ＣＰＵＢ２２１は、ＣＰＵＡ１５１から送られてきたデータを受信すると、このデータを受信したことを示すデータをカメラ本体１００へ返信する。この返信されたデータはカメラ本体１００のＣＰＵＡ１５１によって受信される（チャートＣ参照）。
【００５９】
ＣＰＵＡ１５１は、この返信データを受信したことによって交換レンズ２００がカメラ本体１００に適切に装着されたと判断し、電流制限解除制御信号の出力を開始する（チャートＤ参照）。すると、電流制限解除部１３０が動作して電流制限部１２０による電流制限が無効とされ、電力供給端子１６１から供給可能な電流の最大値が大幅に高められる（チャートＡ参照）。従って、この区間ｂにおいては、交換レンズ２００のレンズ制御部２２０を動作させるためのみならず、レンズ駆動部２１０を機能させてレンズ２０１を駆動させるためにも十分な電力を電力供給端子１６１から出力することができるようになる。
【００６０】
なお、図２においては、電流制限解除部１３０が動作することによって電流制限部１２０による電流制限が無効とされると、電力供給端子１６１から最大１Ａまでの電流が供給可能となることが示されている。
次に期間ｃに注目する。
【００６１】
交換レンズ２００がカメラ本体１００から取り外されると、ＣＰＵＡ１５１が交換レンズ２００へのデータ送信を行っても（チャートＢ参照）、ＣＰＵＡ１５１は交換レンズ２００からのデータを受信することはない（チャートＣ参照）。
そこで、ＣＰＵＡ１５１は、交換レンズ２００へのデータ送信を行ってから所定の時間が経過しても交換レンズ２００からのデータが受信できなかったときには交換レンズ２００がカメラ本体１００から取り外されたと判断し、電流制限解除制御信号の出力を中止する（チャートＤ参照）。すると、電流制限解除部１３０の動作が中止されるので電流制限部１２０による電流制限の作用が有効となり、電力供給端子１６１から供給可能な電流の最大値が制限されることとなる（チャートＡ参照）。従って、この区間ｃにおいて例えば電力供給端子１６１がグランドと短絡されたとしても、カメラ本体１００の故障が回避される。
【００６２】
以上のように、図１に示したカメラシステムでは、交換レンズ２００のカメラ本体１００への適切な装着を検知するための専用の接続端子を設けることなく、レンズ２０１の駆動制御等のためにも使用されるカメラ本体１００と交換レンズ２００との間での通信端子１６２を介したデータ通信が可能であるか否かの判定結果に基づいた供給可能電力の制御が行われる。
【００６３】
なお、以上の説明は、交換レンズ２００のカメラ本体１００との着脱に応じてＣＰＵＡ１５１によって行われる制御として説明したが、例えば、交換レンズ２００の内部回路とカメラ本体１００の内部回路とを電気的に接続する電力供給端子１６１、通信端子１６２、及びグランド端子１６３の各端子間が導電性の異物が混入することによって相互に短絡してしまったような場合であっても、ＣＰＵＡ１５１が交換レンズ２００からのデータを受信できなくなるので、上述したものと同様の制御がＣＰＵＡ１５１によって行われる結果カメラ本体１００の故障は回避される。
【００６４】
次に図３について説明する。同図は、ＣＰＵＡ１５１によって行われる供給可能電力制御処理の処理内容をフローチャートで示したものである。この処理は電力供給端子１６１から供給可能な電力の制御を行うものであり、カメラ本体１００の電源スイッチ（不図示）がオンとされたとき、すなわちカメラ本体１００に電源が投入されたときに開始される。なお、同図には示されていないが、カメラ本体１００に電源が投入されたときにはＤＣ／ＤＣコンバータ１１１の動作を停止させておく制御がＣＰＵＡ１５１によって行われる。
【００６５】
まずＳ１０１において、電流制限部１２０による電流制限を有効とする処理、すなわち電流制限解除制御信号を出力しないようにして電流制限解除部１３０を動作させないようにする処理が行われる。
Ｓ１０２では、ＤＣ／ＤＣコンバータ１１１に出力を許可する信号を与えて電力供給端子１６１からの電力供給を開始させる処理が行われる。
【００６６】
Ｓ１０３では、電圧測定部１４０によって測定された電力供給端子１６１の電圧値を確認して、この電圧値が所定の電圧よりも低くなっているか否かを判定する処理が行われる。ここで、この電圧値が所定の電圧よりも低くなっているのであれば、電力供給端子１６１がショート状態、すなわち電力供給端子１６１がグランドと短絡されている異常状態とみなし、Ｓ１０４に処理を進める。一方、この電圧値が所定の電圧値以上となっているのであれば電力供給端子１６１はショート状態になっていないとみなし、Ｓ１０６に処理を進める。
【００６７】
Ｓ１０４では、ＤＣ／ＤＣコンバータ１１１に与えている出力を許可する信号を止めて電力供給端子１６１からの電力供給を中止させる処理が行われる。
Ｓ１０５では、例えばＣＰＵ１５１自身に備えられている不図示のタイマを用いて計時を行い、所定時間が経過するまで処理の進行を一時停止させる処理が行われる。ここで、所定時間が経過したならばＳ１０２へ処理を戻し、電力供給を再開させたときの電力供給端子１６１の電圧値を再確認する処理が行われる。
【００６８】
Ｓ１０６では、通信端子１６２を介して交換レンズ２００へデータを送信する処理が行われる。
Ｓ１０７では、前ステップの処理によってデータ送信を行ってから所定の時間が経過するまでの間に交換レンズ２００から送られてくるデータの受信ができたか否かが判定される。ここで、受信できたのであればＳ１０８に処理を進め、受信できなかったのであればＳ１０９に処理を進める。
【００６９】
Ｓ１０８では、電流制限部１２０による電流制限を無効とする処理、すなわち電流制限解除制御信号を出力して電流制限解除部１３０を動作させる処理が行われる。この処理を終えた後にはＳ１０６へと処理を戻し、データ送信に対する交換レンズ２００からの返信が受信されるか否かの判定が繰り返される。
【００７０】
Ｓ１０９では、電流制限部１２０による電流制限を有効とする処理、すなわち電流制限解除制御信号の出力を止めて電流制限解除部１３０の動作を中止させる処理が行われる。この処理を終えた後にはＳ１０６へと処理を戻し、データ送信に対する交換レンズ２００からの返信が受信されるか否かの判定が繰り返される。
【００７１】
以上までの処理が供給可能電力制御処理であり、ＣＰＵＡ１５１によってこの処理が実行されることによって、交換レンズ２００から送られてくるデータに応じた電力供給端子１６１からの供給可能電力の制御が実現され、電力供給端子１６１とグランドとの短絡に起因するカメラ本体１００の故障が防止される。
【００７２】
その他、本発明は、上述した実施形態に限定されることなく、本発明の要旨を逸脱しない範囲内で種々の改良・変更が可能である。
例えば、本発明に係るカメラ本体からの電力供給を、交換レンズの代わりに、カメラ本体に装着されるアクセサリーに対して行う場合に適用することもできる。
【００７３】
【発明の効果】
以上詳細に説明したように、本発明は、レンズを駆動させる駆動部が備えられている交換レンズへ供給するための電力を出力する電力供給部と、当該交換レンズに備えられているレンズ制御部であって当該駆動部の動作を制御する当該レンズ制御部からの情報に応じ、当該電力供給部によって供給可能な電力の制御を行う供給可能電力制御部と、を有するようにカメラ本体を構成する。
【００７４】
こうすることにより、交換レンズとカメラ本体との適切な装着の判定精度が向上し、交換レンズへの電力供給端子とグランドラインとの短絡に起因する故障が防止されるという効果を奏する。
【図面の簡単な説明】
【図１】本発明を実施するカメラシステムの構成を示す図である。
【図２】図１に示した各位置のタイミングチャートを示す図である。
【図３】供給可能電力制御処理の処理内容を示すフローチャートである。
【符号の説明】
１００  カメラ本体
１１０  電力供給部
１１１、１１２  ＤＣ／ＤＣコンバータ
１１３  ツェナーダイオード
１１４、１２２、１３３  抵抗
１１５、１２１、１３１  トランジスタ
１２０  電流制限部
１３０  電流制限解除部
１３２  電界効果トランジスタ
１４０  電圧測定部
１５０  カメラ制御部
１５１  ＣＰＵＡ
１５２  ＲＯＭＡ
１５３  ＲＡＭＡ
１６１  電力供給端子
１６２  通信端子
１６３  グランド端子
２００  交換レンズ
２０１  レンズ
２１０  レンズ駆動部
２１１  モータ
２１２  モータドライバ
２２０  レンズ制御部
２２１  ＣＰＵＢ
２２２  ＲＯＭＢ
２２３  ＲＡＭＢ
３００  電池
【図１】
2005010703.tif 000003
【図２】
2005010703.tif 000004
【図３】
2005010703.tif 000005